(57)【要約】【課題】光源からの照射光が所望のエリアとは異なる隣接エリアを照射するという問題を解決する。【解決手段】被写体光に各種マーク、文字などの複数の情報を重畳するスーパーインポーズ表示装置は、少なくとも第１および第２の情報１４５ａ，１４５ｂをそれぞれ形成する第１および第２の情報形成手段１４６を有する表示板１４１と、第1の光源１４２ａから射出される照明光を第1の導光手段１４４ａを介して表示板１４１内に導いて第１の情報形成手段１４６を照明する第１の照明系と、第２の光源１４２ｂから射出される照明光を第２の導光手段１４４ｂを介して表示板１４１内に導いて第２の情報形成手段１４６を照明する第２の照明系とを備え、第１の照明系の照明光および第２の照明系の照明光の少なくともいずれか一方の進行方向を、他方の照明光の進行方向から離れる方向に屈折させるように構成する。【選択図】図３
2008026818.tif 000002
【特許請求の範囲】
【請求項１】
被写体光に各種マーク、文字などの複数の情報を重畳するスーパーインポーズ表示装置において、
少なくとも第１および第２の情報をそれぞれ形成する第１および第２の情報形成手段を有する表示板と、
前記第1の光源から射出される照明光を第1の導光手段を介して前記表示板内に導いて前記第１の情報形成手段を照明する第１の照明系と、
前記第２の光源から射出される照明光を第２の導光手段を介して前記表示板内に導いて前記第２の情報形成手段を照明する第２の照明系とを備え、
前記第１の照明系の照明光および第２の照明系の照明光の少なくともいずれか一方の進行方向を、他方の照明光の進行方向から離れる方向に屈折させるように構成することを特徴とするスーパーインポーズ表示装置。
【請求項２】
請求項１に記載のスーパーインポーズ表示装置において、
前記第１の光源から射出される照明光が前記第１の導光手段の光軸から所定距離オフセットした位置に入射するように、前記第１の光源と前記第１の導光手段の相互の位置関係を決定したことを特徴とするスーパーインポーズ表示装置。
【請求項３】
請求項１に記載のスーパーインポーズ表示装置において、
前記第２の光源から射出される照明光の光軸と前記第２の導光手段の光軸とが合致し、前記光軸の延長線上に前記第２の情報形成手段が位置するように、前記第２の光源、前記第２の導光手段、前記第２の情報形成手段の相互の位置関係を決定したことを特徴とするスーパーインポーズ表示装置。
【請求項４】
請求項１乃至３のいずれか一項に記載のスーパーインポーズ表示装置において、
前記情報形成手段はプリズムにより構成されることを特徴とするスーパーインポーズ表示装置。
【請求項５】
請求項１乃至３のいずれか一項に記載のスーパーインポーズ表示装置において、
前記情報形成手段は（高分子分散型）液晶により構成されることを特徴とするスーパーインポーズ表示装置。
【請求項６】
請求項１乃至５項のいずれか一項に記載のスーパーインポーズ表示装置において、
前記表示板は、前記被写体光の光路と直交して設けられ、
前記第１および第２の導光手段は前記表示板から突設する片凸レンズであり、
前記第１の光源からの照明光は、前記第１の導光手段の前記片凸レンズにより前記第２の情報形成手段から離れる表示板の外側方向に屈折されることを特徴とするスーパーインポーズ表示装置。
【請求項７】
カメラに入射する被写体光をファインダ光学系に導くミラーと、
前記ミラーから前記ファインダ光学系に導かれる被写体光の光路に直交して設けられた請求項１乃至６項のいずれか一項に記載のスーパーインポーズ表示装置とを備えることを特徴とするカメラ。
【発明の詳細な説明】
【技術分野】
【０００１】
本発明は、ファインダ内表示を行なうスーパーインポーズ装置およびカメラに関する。
【背景技術】
【０００２】
撮影画面内に複数の焦点検出エリアを有し、ＬＥＤなどの光源によりエリアを照射して、選択されたエリアをファインダ内にスーパーインポーズ表示するカメラが知られている（たとえば、特許文献１、２）。
【特許文献１】特許登録第２７４９８２９号
【特許文献２】実用新案登録第２５０３５１９号
【発明の開示】
【発明が解決しようとする課題】
【０００３】
しかしながら、光源からの照射光が所望のエリアとは異なる隣接エリアを照射するという問題がある。
【課題を解決するための手段】
【０００４】
（１）請求項１の発明は、被写体光に各種マーク、文字などの複数の情報を重畳するスーパーインポーズ表示装置に適用される。この表示装置は、少なくとも第１および第２の情報をそれぞれ形成する第１および第２の情報形成手段を有する表示板と、第1の光源から射出される照明光を第1の導光手段を介して表示板内に導いて第１の情報形成手段を照明する第１の照明系と、第２の光源から射出される照明光を第２の導光手段を介して表示板内に導いて第２の情報形成手段を照明する第２の照明系とを備え、第１の照明系の照明光および第２の照明系の照明光の少なくともいずれか一方の進行方向を、他方の照明光の進行方向から離れる方向に屈折させるように構成することを特徴とする。
（２）請求項２の発明は、請求項１に記載のスーパーインポーズ表示装置において、第１の光源から射出される照明光が第１の導光手段の光軸から所定距離オフセットした位置に入射するように、第１の光源と第１の導光手段の相互の位置関係を決定したことを特徴とする。
（３）請求項３の発明は、請求項１に記載のスーパーインポーズ表示装置において、第２の光源から射出される照明光の光軸と第２の導光手段の光軸とが合致し、光軸の延長線上に第２の情報形成手段が位置するように、第２の光源、第２の導光手段、第２の情報形成手段の相互の位置関係を決定したことを特徴とする。
（４）請求項４の発明は、請求項１乃至３のいずれか一項に記載のスーパーインポーズ表示装置において、情報形成手段はプリズムにより構成されることを特徴とする。
（５）請求項５の発明は、請求項１乃至３のいずれか一項に記載のスーパーインポーズ表示装置において、情報形成手段は（高分子分散型）液晶により構成されることを特徴とする。
（６）請求項６の発明は、請求項１乃至５項のいずれか一項に記載のスーパーインポーズ表示装置において、表示板は、被写体光の光路と直交して設けられ、第１および第２の導光手段は表示板から突設する片凸レンズであり、第１の光源からの照明光は、第１の導光手段の片凸レンズにより第２の情報形成手段から離れる表示板の外側方向に屈折されることを特徴とする。
（７）請求項７の発明によるカメラは、カメラに入射する被写体光をファインダ光学系に導くミラーと、ミラーからファインダ光学系に導かれる被写体光の光路に直交して設けられた請求項１乃至６項のいずれか一項に記載のスーパーインポーズ表示装置とを備えることを特徴とする。
【発明の効果】
【０００５】
本発明によれば、表示すべき情報に対応する情報形成手段だけが照射され、不必要な情報の表示が防止できる。
【発明を実施するための最良の形態】
【０００６】
−第１の実施の形態−
以下、図面を参照して本発明における第一の実施の形態について説明する。図１は、本発明の第一の実施の形態による一眼レフ電子カメラの要部構成を説明する図である。図１において、カメラ本体１０には、撮影レンズ２５を備えるレンズ鏡筒２６が交換可能に装着されている。
【０００７】
撮影レンズ２５を通過してカメラ本体１０に入射した被写体光は、レリーズ前は実線で示すように位置するクイックリターンミラー１１で上方へ導かれて焦点板１３に結像する。被写体光はさらにスーパーインポーズ表示装置１４を通り、ペンタプリズム１５へ入射される。ペンタプリズム１５は、入射された被写体光を接眼レンズ１６へ導く一方、その一部をプリズム１７へも導く。プリズム１７へ入射された光はレンズ１８を介して補助撮像素子１９に入射され、その撮像面上に被写体像を結像する。
【０００８】
撮影者が接眼レンズ１６を介して観察するファインダ内表示例を図２に示す。スーパーインポーズ表示装置１４は、被写体光に各種マーク、文字、数字など（これらを総称して記号と呼ぶ）を重畳するものであり、この実施の形態では、ＡＦエリアマーク４０ａ〜４０ｃ（総称する場合は、符号４０とする）が被写体像に重畳される。後述するように、焦点調節演算結果に基づいて焦点調節される領域に対応するマークが点灯される。
【０００９】
被写体光の一部はクイックリターンミラー１１の半透過領域を透過し、サブミラー１１１にて下方に反射され、位相差式ＡＦセンサモジュール１１２へ入射される。位相差式ＡＦセンサモジュール１１２は、たとえば、焦点検出光束を一対の焦点検出用光像に分割する焦点検出光学系と、分割された一対の光像が入射し、それに応じた焦点検出信号を出力する一対のＣＣＤラインセンサとを備える。ＣＣＤラインセンサから出力される焦点検出信号は制御部３０に入力され、たとえば３箇所の焦点検出領域の中から、撮影者に選択された焦点検出領域に対応する一対のＣＣＤラインセンサから出力される焦点検出信号に基づいて、デフォーカス量などの焦点調節状態の演算を行う。制御部３０は、焦点調節状態の演算結果に基づいて焦点調節が行われる領域を示す信号をスーパーインポーズ表示装置１４へ出力する。
【００１０】
レリーズ後はクイックリターンミラー１１が破線で示される位置へ回動し、被写体光が撮影用撮像素子２０へ導かれ、その撮像面上に被写体像が結像する。撮影用撮像素子２０は、画素に対応する複数の光電変換素子を備えたＣＣＤイメージセンサなどによって構成され、撮像面上に結像されている被写体像を撮像し、被写体像の明るさに応じた光電変換信号を出力する。
【００１１】
図３（ａ）は、前述したスーパーインポーズ表示装置１４の平面図を示し、図３（ｂ）は、スーパーインポーズ表示装置１４の縦断面図を示す。なお、図３（ｂ）において、撮影レンズ２５からの被写体光を一点鎖線の矢印で示す。
スーパーインポーズ表示装置１４は、図３（ａ）に示すように、ＡＦマークを形成して表示する表示部１４１と、表示用ＬＥＤ１４２ａ、１４２ｂ、１４２ｃ（総称する場合は符号１４２を用いる）を有する照明ユニット１４３と、各表示用ＬＥＤ１４２ａ、１４２ｂ、１４２ｃに対応するレンズ１４４ａ、１４４ｂ、１４４ｃ（総称する場合は符号１４４を用いる）とを備える。
【００１２】
表示部１４１は、アクリル樹脂などで形成される板状部材であり、その中央部には撮影画面に対応する大きさの透過領域１４１ａが設定される。表示部すなわち表示板１４１には、ＡＦエリアマーク４０ａ、４０ｂ、４０ｃとして表示される指標１４５ａ、１４５ｂ、１４５ｃ（総称する場合は符号１４５を用いる）が設けられている。指標１４５は、図３（ｂ）に示すプリズム１４６で形成される。このプリズム１４６の平面視形状が図３（ａ）では指標１４５として示されている。表示用ＬＥＤ１４２はカメラ本体１０の前方側に配設され、表示板１４１の内部に入射した表示用ＬＥＤ１４２からの照明光は、プリズム１４６で垂直上方向に反射し、指標１４５の部分で透過してファインダから観察される。
【００１３】
表示板１４１には、表示用ＬＥＤ１４２と対向してレンズ１４４が形成されている。レンズ１４４は片側に凸形状のシリンドリカルレンズであり、表示用ＬＥＤ１４２からの拡散照明光をやや集光し、所定の方向に沿って進行させて指標１４５へ導く導光部材である。表示用ＬＥＤ１４２から放射される広がりを持つ照明光の照射範囲は、レンズ１４４により狭められる。また、後述するように、レンズ１４４ａと１４４ｃは、入射する照明光束の主光線を外側へ広げる機能も有している。
【００１４】
表示用ＬＥＤ１４２、レンズ１４４、および指標１４５の相互の位置関係について説明する。なお、この位置関係は、スーパーインポーズ表示装置１４の平面視において、すなわち、図３（ａ）の平面図において説明するものである。
（１）レンズ１４４、および指標１４５の相互の位置関係
図３（ａ）に示すように、レンズ１４４ａの光軸Ｌ１ａは指標１４５ａの中心部を通過し、レンズ１４４ｂの光軸Ｌ１ｂは指標１４５ｂの中心部を通過し、レンズ１４４ｃの光軸Ｌ１ｃは指標１４５ｃの中心部を通過する。
【００１５】
（２）レンズ１４４および表示用ＬＥＤ１４２の相互の位置関係
図３（ａ）に示すように、レンズ１４４ｂの光軸Ｌ１ｂは表示用ＬＥＤ１４２ｂの光源中心を通過する。換言すると、表示用ＬＥＤ１４２ｂの照明光軸は、レンズ１４４ｂの光軸Ｌ１ｂと一致する。レンズ１４４ａの光軸Ｌ１ａは表示用ＬＥＤ１４２ａの光源中心から所定距離離れた位置を通過する。すなわち、表示用ＬＥＤ１４２ａはレンズ１４４ａの光軸Ｌ１ａから図３（ａ）の上側に所定距離オフセットされている。レンズ１４４ｃの光軸Ｌ１ｃは表示用ＬＥＤ１４２ｃの光源中心から所定距離離れた位置を通過する。すなわち、表示用ＬＥＤ１４２ｃはレンズ１４４ｃの光軸Ｌ１ｃから図３（ａ）の下側に所定距離オフセットされている。所定距離とは、表示用ＬＥＤ１４２ａ、１４２ｃから放射された拡散光のそれぞれが指標１４５ｂを照射しないような値として決定される。
【００１６】
スーパーインポーズ表示装置１４の製作時には、レンズ１４４ｂの光軸Ｌ１ｂを基準として、換言すると、表示用ＬＥＤ１４２ｂと、レンズ１４４ｂと、指標１４５ｂの並びを基準として、照明ユニット１４３と表示板１４１との位置関係を決定する。
【００１７】
以上のように構成されたスーパーインポーズ表示装置１４の照明動作について説明する。
スーパーインポーズ表示装置１４は、制御部３０から焦点調節領域を示す信号を入力すると、対応するＡＦエリアマーク４０を点灯させる。たとえば、ＡＦエリアマーク４０ａを点灯させる場合、指標１４５ａが対応する表示用ＬＥＤ１４２ａを点灯する。表示用ＬＥＤ１４２ａから射出された照明光は片側凸形状のレンズ１４４ａを通過して指標１４５ａを照射する。このとき、表示用ＬＥＤ１４２ａから射出された照明光の光軸と、レンズ１４４ａの光軸Ｌ１ａとが上述した位置関係でオフセットしているので、表示用ＬＥＤ１４２ａから射出された照明光の光軸は、レンズ１４４ａの光軸から図４（ａ）で下方にずれた位置に入射する。その結果、レンズ１４４ａから指標１４５ｂに向かう照明光の進行方向は、図４（ａ）に矢印Ｓａ１で示すように、中央部の指標１４５ｂから表示板１４０の外側へ離れる方向に屈折されて指標１４５ａを照明する。表示用ＬＥＤ１４２ｃからの射出される照明光についても、同様にして図４（ａ）において矢印Ｓｃ１で示す方向、すなわち指標１４５ｂから表示板１４０の外側へ離れる方向に進んで指標１４５ｃを照射する。
【００１８】
ＡＦエリアマーク４０ｂを点灯させる場合、指標１４５ｂに対応する表示用ＬＥＤ１４２ｂを点灯する。表示用ＬＥＤ１４２ｂから射出された照明光は、その光軸とレンズ１４４ｂの光軸Ｌ１ｂとが一致していることにより、図４（ａ）において矢印Ｓｂ１で示す方向へ進む。すなわち、照明光はレンズ光軸Ｌ１ｂに沿って進んで指標１４５ｂを照射する。
【００１９】
上述したようにして指標１４５を照射した照明光は、図４（ｂ）の実線の矢印ＡＦＬに示すように、プリズム１４６の斜面で反射されてペンタプリズム１５へと導かれる。プリズム１４６で反射された照明光は、図４（ｂ）に矢印ＳＬで示す被写体光とともに、接眼レンズ１６を介して撮影者に観察可能となる。すなわち、焦点調節領域に対応するＡＦエリアマーク４０が被写界で点灯して観察される。
【００２０】
以上で説明した第一の実施の形態によれば、以下の作用効果が得られる。
（１）表示用ＬＥＤ１４２ａからの照明光がレンズ１４４ａの光軸から所定距離オフセットした位置に入射し、表示用ＬＥＤ１４２ｃからの照明光がレンズ１４４ｃの光軸から所定距離オフセットした位置に入射するようにした。これにより、表示用ＬＥＤ１４２ａおよび１４２ｃから射出された照明光のそれぞれが、表示板１４１に突設されたレンズ１４４ａおよび１４４ｃによりそれぞれ表示板の外側方向へ屈折されるようにした。照明光が表示板１４１の外側方向へ屈折すると、表示板１４１内において照明光が指標１４５ｂから離れる方向、すなわち図４（ａ）の矢印Ｓａ１およびＳｃ１で示すように、指標１４５ｂを照射しない方向に進行する。
【００２１】
したがって、図４（ａ）に示すように、表示用ＬＥＤ１４２ａおよび１４２ｃから射出された照明光は、それぞれが対応する指標１４５ａおよび１４５ｃを照明し、対応しない指標１４５ｂを照射することがなくなり、所望のＡＦエリアマーク４０だけが点灯して撮影者に観察される。したがって、図５に示す、表示用ＬＥＤ１４２ａからの照明光が、レンズ１４４ａの光軸中心と一致する位置に入射する場合のように、レンズ１４４ａから射出される照明光における拡散光が指標１４５ｂを照射する、すなわち隣接する複数のＡＦエリアマーク４０が同時に点灯するという事態を低減できるので、撮影者は点灯中のＡＦエリアマーク４０を誤解することなく把握することができる。
【００２２】
（２）スーパーインポーズ表示装置１４の製作時には、表示用ＬＥＤ１４２ｂと、レンズ１４４ｂと、指標１４５ｂを結ぶ１本の直線を基準として、照明ユニット１４３と表示板１４１との位置関係を決定するようにした。したがって、製作時の精度管理が容易となるので、製作誤差により表示用ＬＥＤ１４２からの照明光が隣接する指標１４５を照明するという事態を低減することができるので、製品の品質を保つことができる。
【００２３】
−第二の実施の形態−
以下、図面を参照して本発明における第二の実施の形態について、第一の実施の形態との相違点を主に説明する。第二の実施の形態においては、第一の実施の形態において用いたスーパーインポーズ表示装置１４に代えて、スーパーインポーズ表示装置３４を用いる。
【００２４】
ファインダ内表示例を図６に示す。スーパーインポーズ表示装置３４は、ＡＦエリアマーク４１を赤く点灯表示し、状態表示マークとしてバッテリ残容量マーク４２を青く点灯表示して被写体像に重畳する。
【００２５】
図７（ａ）にスーパーインポーズ表示装置３４の平面図を示し、図７（ｂ）にスーパーインポーズ表示装置３４の断面図を示す。なお、図７（ｂ）において、交換レンズ２４からクイックリターンミラー１１で反射されて入射する被写体光を一点鎖線の矢印ＳＬで示す。
【００２６】
スーパーインポーズ表示装置３４は、図７（ａ）に示すように、表示部すなわち表示板３４１と、表示用ＬＥＤ３４２ａ、３４２ｂ（総称する場合は符号３４２を用いる）を有する照明ユニット３４３と、各表示用ＬＥＤ３４２ａ、３４２ｂに対応するレンズ３４４ａ、３４４ｂ（総称する場合は符号３４４を用いる）とを備える。表示用ＬＥＤ３４２ａは、たとえば赤色、表示用ＬＥＤ３４２ｂは、たとえば青色の照明光を射出する。表示用ＬＥＤ３４２はカメラ前側に設けられて、表示用ＬＥＤ３４２からの照明光が表示板３４１の内部に入射してマークを照明する。
【００２７】
表示板３４１は、図７（ｂ）に示すように、透明電極がそれぞれ形成される透明基板３４６および３４７の間に高分子分散型液晶３４８を封入して構成される。表示板３４１は、ＡＦエリアマーク４１と状態表示マーク４２とに対応する表示セグメント３４５ａ、３４５ｂ（総称する場合は符号３４５を用いる）を有しており、制御回路３０からの信号により透過状態または拡散状態に制御される。すなわち、透明電極により表示セグメント３４５が通電されて拡散状態となると、被写界が昼間のように明るい場合は、撮影者によりＡＦエリアマーク４１または状態表示マーク４２が暗く翳って見える。
【００２８】
表示板３４１には、表示用ＬＥＤ３４２と対向する位置にレンズ３４４が形成されている。レンズ３４４は表示用ＬＥＤ３４２側のみが凸レンズである片側凸のシリンドリカルレンズであり、表示用ＬＥＤ３４２からの照明光を所定の方向に沿って進行させて表示セグメント３４５へ導く導光部材である。
【００２９】
表示用ＬＥＤ３４２から放射される拡散照明光は、レンズ３４４によりやや集光される。なお、後述するように、レンズ３４４ｂは、入射する照明光を表示板３４１の外側へ向けて進行させる機能も有している。
【００３０】
表示用ＬＥＤ３４２ａ、レンズ３４４ａ、および指標３４５ａの相互の位置関係、および、表示用ＬＥＤ３４２ｂ、レンズ３４４ｂ、および表示セグメント３４５ｂの相互の位置関係について説明する。なお、この位置関係は、スーパーインポーズ表示装置３４の平面視において、すなわち、図７（ａ）の平面図において説明するものである。
【００３１】
図７（ａ）に示すように、レンズ３４４ａの光軸Ｌ２ａは指標３４５ａの中心部を通過する。レンズ３４４ａの光軸Ｌ２ａは表示用ＬＥＤ３４２ａの光源中心を通過する。換言すると、表示用ＬＥＤ３４２ａの照明光軸は、レンズ３４４ｂの光軸Ｌ１ｂと一致する。一方、レンズ３４４ｂの光軸Ｌ２ｂは表示用ＬＥＤ３４２ｂの光源中心から所定距離離れた位置を通過する。すなわち、表示用ＬＥＤ３４２ｂはレンズ３４４ｂの光軸Ｌ２ｂから図７（ａ）の上側に所定距離オフセットされている。所定距離とは、表示用ＬＥＤ３４２ｂから放射された拡散光が指標３４５ａを照射しないような値として決定される。
【００３２】
スーパーインポーズ表示装置３４の製作時には、レンズ３４４ａの光軸Ｌ２ａを基準として、換言すると、表示用ＬＥＤ３４２ａと、レンズ３４４ａと、指標３４５ａの並びを基準として、照明ユニット３４３と表示板３４１との位置関係を決定する。
【００３３】
上述した構成を有するスーパーインポーズ表示装置３４において、表示用ＬＥＤ３４２ａを点灯すると、表示用ＬＥＤ３４２ａから射出された赤色の照明光は、その光軸とレンズ３４４ａの光軸Ｌ２ａとが一致していることにより、図８（ａ）において矢印Ｓａ２で示す方向へ進む。すなわち、照明光はレンズ光軸Ｌ２ａに沿って進んで指標３４５ａを照射する。
【００３４】
表示セグメント３４５ｂを点灯させる場合、表示セグメント３４５ｂと対応する表示用ＬＥＤ３４２ｂを点灯する。表示用ＬＥＤ３４２ｂから射出された青色の照明光は、片側凸形状のレンズ３４４ｂを通過して表示セグメント３４５ｂを照射する。このとき、表示用ＬＥＤ３４２ｂから射出された照明光の光軸と、レンズ３４４ｂの光軸Ｌ２ｂとが上述した位置関係でオフセットしているので、表示用ＬＥＤ３４２ｂから射出された照明光の中央部の光線は、レンズ３４４ｂの光軸から図８（ａ）で下方にずれ対置に入射する。その結果、レンズ３４４ｂから表示セグメント３４５ｂに向かう照明光は、図８（ａ）に矢印Ｓｂ２で示すように、指標３４５ａから表示板３４０の外側へ離れる方向に進んで表示セグメント３４５ｂを照射する。
【００３５】
上述したようにして表示セグメント３４５を照射した照明光は、図８（ｂ）に示すように、拡散状態の表示セグメント３４５で錯乱されてペンタプリズム１５へと導かれる。錯乱光は、図８（ｂ）矢印ＳＬで示す被写体光とともに、接眼レンズ１６を介して撮影者に観察可能となる。すなわち、夜間の屋外などで被写界が暗い場合に、表示用ＬＥＤ３４２を点灯することにより、ＡＦエリアマーク４１または状態表示マーク４２を異なる色で明瞭に視認可能にする。
【００３６】
以上で説明した第二の実施の形態によれば、表示板３４１に高分子分散型液晶を用いる場合においても、第一の実施の形態と同様の作用効果を得られる。さらに、異なる発光色を有する表示用ＬＥＤ３４２ａと３４２ｂとを用いることにより、ＡＦエリアマーク４１と状態表示マーク４２とを異なる色で照明するので、撮影者はそれぞれのマークが明瞭に視認でき、利便性が向上する。
【００３７】
以上で説明した実施の形態を、以下のように変形できる。
（１）図３（ａ）のスーパーインポーズ表示装置１４では、レンズ１４４ａの光軸Ｌ１ａが指標１４５ａの中心を通過し、レンズ１４４ｃの光軸Ｌ１ｃが指標１４５ｃの中心を通過するようにした。しかしながら、図９（ａ）に示すように、表示用ＬＥＤ１４２ａ、１４２ｃからそれぞれ射出される照明光の中央部の光線が、レンズ１４４ａ、１４４ｃの光軸からそれぞれ外側に屈折されるならば、表示用ＬＥＤ１４２ａ、１４２ｃの光源中心を通過する直線Ｌ１１ａ、Ｌ１１ｃが指標１４５ａ、１４５ｃの中心を通過するようにしても良い。
（２）図７（ａ）のスーパーインポーズ表示装置３４では、レンズ３４４ａの光軸Ｌ２ａが表示セグメント３４５ｂの中心を通過するようにした。しかしながら、図９（ｂ）に示すように、表示用ＬＥＤ３４２の光源中心を通過する直線が表示セグメント３４５の中心を通過するようにしてもよい。
【００３８】
（３）指標１４５や表示セグメント３４５を照射するために表示用ＬＥＤ１４２または３４２を用いたが、タングステンライトやエレクトロルミネセンスなどを用いてもよい。
【００３９】
（４）第二の実施の形態において、レンズ３４４ａの光軸Ｌ２ａに関しても、レンズ３３４ｂと同様に、表示用ＬＥＤ３４２ａの光源中心から所定距離離れた位置を通過するようにしてもよい。すなわち、表示用ＬＥＤ３４２ａはレンズ３４４ａの光軸Ｌ２ａから図７（ａ）の下側に所定距離オフセットしてもよい。この場合、２つの表示用ＬＥＤ３４２ａおよび３４２ｂ間の距離を短くすることができるので、スーパーインポーズ表示装置３４の小型化が可能になる。
【００４０】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００４１】
【図１】本発明の実施の形態によるカメラの要部構成を説明する図である。
【図２】第一の実施の形態におけるスーパーインポーズ表示装置による表示内容を示す図である。
【図３】第一の実施の形態におけるスーパーインポーズ表示装置を説明する図であり、（ａ）は平面図を示し、（ｂ）は断面図を示す。
【図４】第一の実施の形態における光源からの照明光の進行について説明する図であり、（ａ）は平面図を示し、（ｂ）は断面図を示す。
【図５】表示用ＬＥＤの中心、レンズの中心および指標の中心を同一直線上に配置する場合について説明する図である。
【図６】第二の実施の形態におけるスーパーインポーズ表示装置による表示内容を示す図である。
【図７】第二の実施の形態におけるスーパーインポーズ表示装置を説明する図であり、（ａ）は平面図を示し、（ｂ）は断面図を示す。
【図８】第二の実施の形態における光源からの照明光の進行について説明する図であり、（ａ）は平面図を示し、（ｂ）は断面図を示す。
【図９】実施の形態におけるスーパーインポーズ表示装置の変形例を説明する図である。
【符号の説明】
【００４２】
１４、３４      スーパーインポーズ表示装置        １４１、３４１  表示板
１４２、３４２  表示用ＬＥＤ                      １４４、３４４  レンズ
１４５          指標                              １４６          プリズム
３４５          表示セグメント
【図１】
2008026818.tif 000003
【図２】
2008026818.tif 000004
【図３】
2008026818.tif 000005
【図４】
2008026818.tif 000006
【図５】
2008026818.tif 000007
【図６】
2008026818.tif 000008
【図７】
2008026818.tif 000009
【図８】
2008026818.tif 000010
【図９】
2008026818.tif 000011